(57)【特許請求の範囲】
【請求項１】
所定の通信路に接続された機器間で、所定のデータ長の区間に、所定ビット数のオーディオデータを配置して伝送すると共に、上記所定ビット数のオーディオデータが伝送される上記所定のデータ長の区間毎に、上記オーディオデータの種類を示す補助データを、そのオーディオデータの先頭に付加して伝送する伝送方法であって、
上記補助データとして、その補助データに続いた上記所定のデータ長の区間に、上記オーディオデータの種類以外のデータを配置することを示すラベルを設定し、
上記ラベルを上記補助データに配置したとき、上記補助データに続いた上記所定のデータ長の区間内の一部の区間に、オーディオデータを再生する際の各チャンネルの空間上の配置に関する識別データを配置し、上記所定のデータ長の区間内の残りの区間に、各チャンネルの設定に関するデータを配置して、伝送するようにした
伝送方法。
【請求項２】
請求項１記載の伝送方法において、
上記所定のデータ長の区間内の残りの区間に配置する各チャンネルの設定に関するデータは、各チャンネルのスピーカ配置に関するデータである
伝送方法。
【請求項３】
請求項１記載の伝送方法において、
上記所定のデータ長の区間内の残りの区間に配置する各チャンネルの設定に関するデータは、各記録チャンネルの存在の有無を示すデータである
伝送方法。
【請求項４】
伝送するオーディオデータを得るデータ入力手段と、
上記データ入力手段が得たオーディオデータを、所定ビット数のオーディオデータごとに分割し、その分割された所定ビット数のオーディオデータが伝送される所定のデータ長の区間毎に、オーディオデータの種類を示す補助データをそのオーディオデータの先頭に付加して、所定のフォーマットの伝送データとすると共に、上記補助データとして、その補助データに続いた上記所定のデータ長の区間に、上記オーディオデータの種類以外のデータを配置することを示すラベルを設定し、上記ラベルを上記補助データに配置したとき、上記補助データに続いた上記所定のデータ長の区間内の一部の区間に、オーディオデータを再生する際の各チャンネルの空間上の配置に関する識別データを配置し、上記所定のデータ長の区間内の残りの区間に、各チャンネルの設定に関するデータを配置する伝送データ生成手段と、
上記伝送データ生成手段が生成させた伝送データを所定の通信路に送出する送出手段とを備えた
伝送装置。
【請求項５】
請求項４記載の伝送装置において、
上記データ入力手段が得た伝送データは、マルチチャンネルのオーディオデータであり、
上記伝送データ生成手段で生成させる上記所定のデータ長の区間内の残りの区間に配置する各チャンネルの設定に関するデータは、各チャンネルのスピーカ配置に関するデータである
伝送装置。
【請求項６】
請求項４記載の伝送装置において、
上記データ入力手段が得た伝送データは、マルチチャンネルのオーディオデータであり、
上記伝送データ生成手段で生成させる上記所定のデータ長の区間内の残りの区間に配置する各チャンネルの設定に関するデータは、各記録チャンネルの存在の有無をチャンネル毎に示すデータである
伝送装置。
【発明の詳細な説明】
【０００１】
【発明の属する技術分野】
本発明は、例えばＩＥＥＥ１３９４方式のバスラインに、各種方式のオーディオデータや画像データを伝送させる場合に適用して好適な伝送方法及び伝送装置に関する。
【０００２】
【従来の技術】
ＩＥＥＥ１３９４方式のバスラインを用いたネットワークにより、複数台のＡＶ機器を接続して、その機器間でビデオデータ，オーディオデータ，その他のデータなどを伝送することが実用化されている。ＩＥＥＥ１３９４方式のバスラインの場合には、ビデオデータやオーディオデータなどの大容量データを伝送するためのアイソクロナス伝送チャンネル（Ｉｓｏチャンネル）と、制御コマンドなどのデータを伝送するためのアシンクロナス伝送チャンネル（Ａｓｙｎｃチャンネル）とが用意されて、それらのデータを混在させて伝送できるようにしてある。
【０００３】
ＩＥＥＥ１３９４方式のバスラインでオーディオデータ（ミュージックデータ）を伝送するフォーマットの詳細については、〔Audio and Music Data Transmission Protocol〕に開示されている。この〔Audio and Music Data Transmission Protocol〕は、http//www.1394TA.orgで公開されている。
【０００４】
また、オーディオデータに付随する画像データを、同時に伝送することもできるようにしてある。例えば、歌詞を表示させる画像データや、ジャケットの画像などの静止画像データを、オーディオデータと同時に伝送することもある。
【０００５】
【発明が解決しようとする課題】
ところで、オーディオデータには、マルチチャンネルオーディオ等と称される２チャンネルを越える多くのチャンネル数で構成されるオーディオデータである場合がある。このマルチチャンネルオーディオを伝送した場合、受信側で各チャンネルのデータを正しく判別する必要がある。ところが、マルチチャンネルオーディオには、種々のフォーマットがあり、受信側で簡単にチャンネル構成を判別することは困難であった。特に、ＩＥＥＥ１３９４方式のバスラインなどの汎用のバスラインでオーディオデータを伝送する場合には、汎用性を考慮して種々のフォーマットのオーディオデータを伝送できるようにしてあり、チャンネル構成などの判別がより困難になっていた。
【０００６】
また、オーディオデータに付随した画像データを伝送する際にも、その画像データの表示態様の指示がないと、受信側でどのように表示すれば良いか判断できない問題がある。
【０００７】
本発明の目的は、バスラインを介して伝送されるデータのチャンネル構成などの詳細が、受信側で容易に判断できるようにすることにある。
【０００８】
【課題を解決するための手段】
本発明の伝送方法は、所定の通信路に接続された機器間で、所定のデータ長の区間に、所定ビット数のオーディオデータを配置して伝送すると共に、所定ビット数のオーディオデータが伝送される所定のデータ長の区間毎に、オーディオデータの種類を示す補助データを、そのオーディオデータの先頭に付加して伝送する伝送方法であって、補助データとして、その補助データに続いた所定のデータ長の区間に、オーディオデータの種類以外のデータを配置することを示すラベルを設定し、ラベルを補助データに配置したとき、補助データに続いた所定のデータ長の区間内の一部の区間に、オーディオデータを再生する際の各チャンネルの空間上の配置に関する識別データを配置し、所定のデータ長の区間内の残りの区間に、各チャンネルの設定に関するデータを配置して、伝送するようにしたものである。
【０００９】
この伝送方法によると、補助データの第１の区間に配置された識別データで、伝送データの空間上の配置が判ると共に、第２の区間に配置されたデータで、伝送データの設定に関する詳細が判るようになる。
【００１０】
また本発明の伝送装置は、伝送するオーディオデータを得るデータ入力手段と、データ入力手段が得た伝送データを所定ビット数のオーディオデータごとに分割し、その分割された所定ビット数のオーディオデータが伝送される所定のデータ長の区間毎に、オーディオデータの種類を示す補助データをそのオーディオデータの先頭に付加して、所定のフォーマットの伝送データとすると共に、補助データとして、その補助データに続いた所定のデータ長の区間に、オーディオデータの種類以外のデータを配置することを示すラベルを設定し、ラベルを上記補助データに配置したとき、補助データに続いた所定のデータ長の区間内の一部の区間に、オーディオデータを再生する際の各チャンネルの空間上の配置に関する識別データを配置し、所定のデータ長の区間内の残りの区間に、各チャンネルの設定に関するデータを配置する伝送データ生成手段と、伝送データ生成手段が生成させた伝送データを所定の通信路に送出する送出手段とを備えたものである。
【００１１】
この伝送装置から送信されるデータは、補助データの第１の区間のデータで伝送データの空間上の配置が判り、第２の区間のデータで伝送データの設定が判るようになる。
【００１２】
【発明の実施の形態】
以下、本発明の一実施の形態を、添付図面を参照して説明する。
【００１３】
まず、本発明を適用したネットワークシステムの構成例について、図１を参照して説明する。このネットワークシステムは、デジタル通信制御バスであるＩＥＥＥ１３９４方式のシリアルデータバス（以下単にバスと称する）９を介して、複数台のオーディオビジュアル機器（以下ＡＶ機器と称する）が接続してある。
【００１４】
図１に示す構成について説明すると、２台のマイクロホン装置１と、２台の電子楽器２と、調整卓３と、アンプ装置４と、ディスク再生装置５と、ディスク記録再生装置６と、表示装置７とが、バス９を介して１台ずつ順に接続してある。ＩＥＥＥ１３９４方式のバス９の場合には、ループ接続をしない等の決められた条件を満たす限りは、機器の接続順序はどのような順序であっても良い。
【００１５】
マイクロホン装置１は、設置された場所で収音を行って、得られたオーディオデータを出力する装置である。電子楽器２は、キーボードなどの操作に基づいてＭＩＤＩデータなどの所定の方式のオーディオデータを出力する装置である。調整卓３は、バス９上で伝送されるオーディオデータに関する調整を行う装置であり、オーディオデータのレベル，音質，チャンネル構成，残響付加処理などの各種オーディオ処理でデジタル的に実行される装置である。アンプ装置４は、複数個のスピーカ装置８Ｌ，８Ｒ，８ＳＬ，８ＳＲが接続してあり、供給されるオーディオデータを、設定された音質に調整した後、スピーカを駆動するオーディオ信号（アナログオーディオ信号）とし、接続された各チャンネルのスピーカ装置に供給してオーディオを出力させる装置である。スピーカ装置の接続状態については一例であり、他のチャンネル構成でスピーカ装置が接続される場合もある。このチャンネル構成については後述する。
【００１６】
ディスク再生装置５は、コンパクトディスク（ＣＤ）と称されるデジタルオーディオディスク（光ディスク）からオーディオデータなどを再生する装置である。ディスク記録再生装置６は、ミニディスク（ＭＤ）と称される光ディスク又は光磁気ディスクからオーディオデータなどを再生すると共に、光磁気ディスクへのオーディオデータなどの記録ができる装置である。
【００１７】
ディスク再生装置５及びディスク記録再生装置６でオーディオデータを再生する際には、オーディオに付随した画像データ（静止画像データ又は動画像データ）が同時に再生される場合があり、その画像データを再生したとき、バス９を介して表示装置７に伝送して、表示装置７で表示させるようにしてある。
【００１８】
なお、図１の例では、アンプ装置４と各スピーカ装置との接続を、アナログの信号線で行うようにしてあるが、スピーカ装置がバス９に接続可能な端子を備えて、デジタルオーディオデータの入力が可能なスピーカ装置の場合には、図２に示すように、バス９に接続する構成としても良い。即ち図２に示すように、バス９に接続可能な端子を備えたスピーカ装置８Ｌ′，８Ｒ′，８ＳＬ′，８ＳＲ′を用意して、バス９を介してアンプ装置４などに接続して、アンプ装置４で処理された各チャンネルのデジタルオーディオデータを、その接続されたスピーカ装置から個別に出力させるようにしても良い。
【００１９】
次に、バス９に接続される各ＡＶ機器の具体的な構成例を以下説明する。図３は、マイクロホン装置１の構成例を示した図である。このマイクロホン装置１は、収音処理を行うマイクロホン部１０１と、このマイクロホン部１０１が出力するオーディオ信号（音声信号）をデジタルデータに変換するアナログ／デジタル変換器１０２と、このアナログ／デジタル変換器１０２で変換されたデジタルデータを、所定のフォーマットのデータに変換するデータ処理部１０３とを備え、データ処理部１０３で処理されたデータを、出力端子１０４から外部に出力させる構成としてある。また、バス９に接続するためのＩＥＥＥ１３９４インターフェース部１０５と、このインターフェース部１０５を介したデータ伝送の制御などを行う中央制御ユニット（ＣＰＵ）１０６と、中央制御ユニット１０６での制御に必要なデータを記憶するメモリ１０７とが用意してあり、中央制御ユニット１０６の制御で、データ処理部１０３で処理されたオーディオデータをインターフェース部１０５を介してバス９に送出させることができるようにしてある。
【００２０】
図４は、電子楽器２の構成例を示した図である。この電子楽器２は、ユーザが操作（演奏）するキーボード部２０１と、このキーボード部２０１で入力された音楽情報をＭＩＤＩ規格のデジタルデータとするＭＩＤＩデータ生成部２０２と、このＭＩＤＩデータ生成部２０２で生成されたＭＩＤＩデータを再生用のオーディオ信号とするデータ処理部２０３を備える。そして、データ処理部２０３が出力するオーディオ信号を、アンプ部２０４を介してスピーカ２０５に供給して、出力させることができるようにしてある。
【００２１】
また、バス９に接続するためのＩＥＥＥ１３９４インターフェース部２０６と、このインターフェース部２０６を介したデータ伝送の制御などを行う中央制御ユニット２０７と、中央制御ユニット２０７での制御に必要なデータを記憶するメモリ２０８とが用意してあり、中央制御ユニット２０７の制御で、データ処理部１０３で処理されたオーディオデータ（ＭＩＤＩデータ又はＭＩＤＩデータを変換したオーディオデータ）をインターフェース部２０６を介してバス９に送出させることができるようにしてある。
【００２２】
図５は、調整卓３の構成例を示した図である。この調整卓３は、バス９に接続するためのＩＥＥＥ１３９４インターフェース部３０１と、このインターフェース部３０１を介したデータ伝送の制御や、供給されるオーディオデータの調整処理などを行う中央制御ユニット３０２と、中央制御ユニット３０２での制御に必要なデータや、調整状態のデータなどを記憶するメモリ３０３と、ユーザが調整状態の入力を行う調整用キー３０４と、その調整状態を表示する表示部３０５とが用意してある。そして、インターフェース部３０１で受信したオーディオデータを、メモリ３０３に一旦蓄積した後、調整用キー３０４の操作に基づいて中央制御ユニット３０２が処理する。ここでのオーディオ処理としては、例えばレベル，音質，チャンネル構成，残響付加処理などである。そして、処理されたオーディオデータを、インターフェース部３０１からバス９に送出する。
【００２３】
なお、このように調整卓３内でオーディオデータを調整する代わりに、調整用キー３０４での調整状態に基づいて、中央制御ユニット３０２がオーディオ信号源（マイクロホンや電子楽器など）に対する制御コマンドを発行させて、その制御コマンドを、インターフェース部３０１からバス９を介して該当するオーディオ信号源に伝送して、そのオーディオ信号源の内部でオーディオデータを調整させるようにしても良い。
【００２４】
図６は、アンプ装置４の構成例を示した図である。ここでのアンプ装置４は、入力端子部４０１に得られるオーディオ信号（アナログオーディオ信号又はデジタルオーディオデータ）の中の選択された信号を、プリアンプ部４０２に供給し、音場設定，音質調整，前置増幅などの各種オーディオ処理を行う。このプリアンプ部４０２内での処理については、デジタル処理で行う場合と、アナログ処理で行う場合があるが、ここではプリアンプ部４０２の出力についてはアナログオーディオ信号としてある。
【００２５】
プリアンプ部４０２で処理されたオーディオ信号は、パワーアンプ部４０３に供給し、スピーカを駆動するための比較的出力の大きな増幅処理を行い、その増幅されたオーディオ信号を、スピーカ接続端子４０４を介してスピーカ装置（例えば図１に示すスピーカ装置８Ｌ，８Ｒ，８ＳＬ，８ＳＲ）に供給し、オーディオを出力させる。
【００２６】
これらのアンプ装置内での処理動作は、中央制御ユニット４０５の制御で実行される。また、ＩＥＥＥ１３９４インターフェース部４０７からバス９へのデータ送出や、バス９からのデータのインターフェース部４０７での受信についても、中央制御ユニット４０５の制御で実行されるようにしてある。中央制御ユニット４０５には、制御に必要なデータなどを記憶するメモリ４０６が接続してある。また、操作キーなどが配置された操作部４０８の操作データが中央制御ユニット４０５に供給されるようにしてあり、その操作データに基づいて、入力切換えや音質設定などが行われる。
【００２７】
また、バス９を介してＩＥＥＥ１３９４インターフェース部４０７でオーディオデータを受信したとき、そのオーディオデータをプリアンプ部４０２に供給し、入力端子部４０１に得られるオーディオ信号の場合と同様の処理を行って、端子部４０４に接続されたスピーカ装置からオーディオを出力させることができるようにしてある。
【００２８】
図７は、ディスク再生装置５の内部構成の一例を示したものである。ここでのディスク再生装置５は、コンパクトディスク（ＣＤ）と称される記録媒体（光ディスク）に記録されたオーディオデータを再生するオーディオ再生装置としてある。
【００２９】
再生装置５に装着された光ディスク５０１に記録された信号を、光学ピックアップ５０２で光学的に読み出し、光学ピックアップ５０２で読み出された信号を再生系回路５０３に供給し、この再生系回路５０３内でデータ変換，エラー訂正などの再生処理を行うことで再生データ（デジタルオーディオデータ）を得る。その再生データをデジタル・アナログ変換器５０４でアナログオーディオ信号に変換した後、アナログ出力端子５０５から出力させ、この端子５０５に接続されたオーディオ機器などに供給する。また、再生系回路５０３に得られるデジタルオーディオデータを、デジタル出力端子５０６から出力させる。さらに、再生系回路５０３に得られる再生データを、ＩＥＥＥ１３９４インターフェース部５０８に供給して、接続されたバス９にストリームデータとして送出できるようにしてある。
【００３０】
このディスクからの再生動作は、中央制御ユニット５０７の制御で実行される。また、ＩＥＥＥ１３９４インターフェース部５０８からバス９へのデータ送出や、バス９からのデータのインターフェース部５０８での受信についても、中央制御ユニット５０７の制御で実行されるようにしてある。中央制御ユニット５０７には、制御に必要なデータなどを記憶するメモリ５０９が接続してある。また、再生キーなどの操作キーが配置された操作部５１０の操作データが、中央制御ユニット５０７に供給される構成としてある。
【００３１】
図８は、ディスク記録再生装置６の内部構成の一例を示したものである。ここでのディスク記録再生装置６は、オーディオデータを所定の圧縮符号化方式（ＡＴＲＡＣ方式:Adaptive Transform Acoustic Coding ）で符号化して、ミニディスク（ＭＤ）と称される光磁気ディスクなどの媒体に記録し再生するオーディオ記録再生装置としてある。
【００３２】
即ち、所定の光磁気ディスク（又は光ディスク）６０１に記録された信号を光学ピックアップ６０２で光学的に読み出し、光学ピックアップ６０２で読み出された信号を、記録再生系回路６０３に供給して処理することで、ＡＴＲＡＣ方式の再生データを得、その再生データをＡＴＲＡＣデコーダ６０４でデコードすることで、元のデジタルオーディオデータを復元し、その復元されたデジタルオーディオデータをデジタル・アナログ変換器６０５でアナログオーディオ信号に変換した後、アナログ出力端子６０６から出力させ、この端子６０６に接続されたオーディオ機器などに供給する。また、ＡＴＲＡＣデコーダ６０４でデコードされたデジタルオーディオデータを、デジタル出力端子６０７から出力させる。さらに、ＡＴＲＡＣデコーダ６０４に供給されるＡＴＲＡＣ方式の再生データ（又はＡＴＲＡＣ方式からデコードされた再生データ）を、ＩＥＥＥ１３９４インターフェース部６１２に供給して、接続されたバス９に送出できるようにしてある。
【００３３】
記録系の構成としては、アナログ入力端子６０８に得られるアナログオーディオ信号を、アナログ・デジタル変換器６０９でデジタルオーディオデータに変換した後、その変換されたオーディオデータをＡＴＲＡＣエンコーダ６１０に供給し、ＡＴＲＡＣエンコーダ６１０でＡＴＲＡＣ方式に符号化されたオーディオデータとする。ＡＴＲＡＣエンコーダ６１０でＡＴＲＡＣ方式に符号化されたオーディオデータは、記録再生系回路６０３に供給して処理することで、光学ピックアップ部６０２に供給する記録信号とし、この記録信号が光磁気ディスク６０１に記録される。また、バス９からＩＥＥＥ１３９４インターフェース部６１２に供給されるデジタルオーディオデータ（ＡＴＲＡＣ方式に符号化されたデジタルオーディオデータ又は圧縮符号化されてないデジタルオーディオデータ）についても、ＡＴＲＡＣエンコーダ６１０を介して記録再生系回路６０３に供給されて、光磁気ディスク６０１に記録されるようにしてある。
【００３４】
これらの回路での再生動作及び記録動作は、中央制御ユニット６１３の制御で実行される。また、ＩＥＥＥ１３９４インターフェース部６１２からバス９へのデータ送出や、バス９からのデータのインターフェース部６１２での受信についても、中央制御ユニット６１３の制御で実行されるようにしてある。中央制御ユニット６１３には、制御に必要なデータなどを記憶するメモリ６１４が接続してある。また、録音キー，再生キーなどの操作キーが配置された操作部６１５の操作データが、中央制御ユニット６１３に供給される構成としてある。
【００３５】
図９は、表示装置７の構成例を示した図である。ここでは表示装置７は、テレビジョン受像機として構成してあり、アンテナなどが接続されるチューナ７０１と、チューナ７０１で受信した放送信号のスクランブルを解除するデスクランブル部７０２と、このデスクランブル部７０２でデスクランブルされた受信データでデコードするデコーダ７０３と、デコーダ７０３でデコードされたデータを受像処理する受像処理部７０４と、受像処理部７０４の出力が供給される表示部７０５とを備える。表示部７０５としては、例えば陰極線管，液晶表示パネルなどの各種画像表示手段が使用可能である。
【００３６】
また、バス９からＩＥＥＥ１３９４インターフェース部７０６に供給される画像データが、デコーダ７０３を介して受像処理部７０４に供給されて、表示部７０５で表示されるようにしてある。この場合の表示形態としては、例えばバス９を介して供給される画像データを、画面全体に表示させるような表示形態の場合の他に、表示装置７で受信したテレビジョン放送の画面中に、子画面としてバス９を介して供給される画像を表示させるような表示形態も可能である。この表示形態については、表示装置７内での操作で設定される場合と、バス９を介して伝送される画像データなどに含まれる補助データなどで指示される場合がある。
【００３７】
なお、ここではバス９に接続されている各機器１〜７は、ユニットと称され、AV/C Command Transaction SetのAV/C Digital Interface Command Set General Specification（以下ＡＶ／Ｃと称する）で規定されているディスクリプタ（Descriptor）を用いて、各ユニットに記憶されている情報を相互に読み書きして、一方の機器から他方の機器を制御することが可能である。ＡＶ／Ｃの詳細については、http://www.1394TA.org に公開されている。
【００３８】
バス９に接続された各ユニットはノード（node）とも呼ばれ、ノードＩＤが設定してあり、そのノードＩＤによりバス上へのデータの発信元及び受信先が特定される。このノードＩＤは、バス１への新たな機器の接続があった場合や、或いは接続されていた機器が外されたことを検出したとき、バスリセットがかかって、再度ノードＩＤを設定し直す処理が行われる。従って、バスリセットが発生したときには、各機器のノードＩＤが変化する場合がある。
【００３９】
次に、各機器１〜７を接続したＩＥＥＥ１３９４方式のバス１でのデータ伝送状態について説明する。各機器における信号の伝送は、例えば図１０に示すように、所定の通信サイクル（例えば１２５μｓｅｃ）毎に時分割多重によって行われる。そして、この信号の伝送は、サイクルマスタと呼ばれる機器（バス１上の任意の１台の機器）が通信サイクルの開始時であることを示すサイクルスタートパケットをバス上へ送出することにより開始される。なお、サイクルマスタは、バスを構成するケーブルに各機器を接続したとき等に、ＩＥＥＥ−１３９４で規定する手順により自動的に決定される。
【００４０】
１通信サイクル中における通信の形態は、ビデオデータやオーディオデータなどのリアルタイム性を必要とするデータを伝送するアイソクロナス伝送（Ｉｓｏ伝送）と、制御コマンドや補助的なデータなどを確実に伝送するアシンクロナス伝送（Ａｓｙｎｃ伝送）の２種類の伝送が行われる。各通信サイクル中では、アイソクロナス伝送用のＩｓｏパケットが、アシンクロナス伝送用のＡｓｙｎｃパケットより先に伝送される。１通信サイクル中の各Ｉｓｏパケットには、それぞれ個別のチャンネル番号１，２，３‥‥ｎを付与して、複数のＩｓｏ伝送データを区別できるようにしてある。Ｉｓｏパケットの通信が終了した後、次のサイクルスタートパケットまでの期間が、Ａｓｙｎｃパケットの伝送に使用される。従って、Ａｓｙｎｃパケットが伝送できる期間は、そのときのＩｓｏパケットの伝送チャンネル数により変化する。また、Ｉｓｏパケットは、１通信サイクル毎に予約した帯域（チャンネル数）が確保される伝送方式であるが、受信側からの確認は行わない。Ａｓｙｎｃパケットで伝送する場合には、受信側からアクノリッジメント（Ａｃｋ）のデータを返送させて、伝送状態を確認しながら確実に伝送させる。
【００４１】
図１１は、バス上でデータ伝送を行う上で必要なプラグ、プラグコントロールレジスタ、およびアイソクロナスチャンネルの関係を表す図である。バスに接続された機器であるＡＶデバイス（ＡＶ−ｄｅｖｉｃｅ）１１〜１３は、ＩＥＥＥ１３９４シリアスバスによって接続されている。ＡＶデバイス１３のｏＭＰＲにより伝送速度とｏＰＣＲの数が規定されたｏＰＣＲ〔０〕〜ｏＰＣＲ〔２〕のうち、ｏＰＣＲ〔１〕によりチャンネルが指定されたアイソクロナスデータは、ＩＥＥＥ１３９４シリアスバスのチャンネル＃１（ｃｈａｎｎｅｌ  ＃１）に送出される。ＡＶデバイス１１のｉＭＰＲにより伝送速度とｉＰＣＲの数が規定されたｉＰＣＲ〔０〕とｉＰＣＲ〔１〕のうち、入力チャンネル＃１が伝送速度とｉＰＣＲ〔０〕により、ＡＶデバイス１１は、ＩＥＥＥ１３９４シリアスバスのチャンネル＃１に送出されたアイソクロナスデータを読み込む。同様に、ＡＶデバイス１２は、ｏＰＣＲ〔０〕で指定されたチャンネル＃２（ｃｈａｎｎｅｌ  ＃２）に、アイソクロナスデータを送出し、ＡＶデバイス１１は、ｉＰＲＣ〔１〕にて指定されたチャンネル＃２からそのアイソクロナスデータを読み込む。
【００４２】
このように確保されたチャンネルを使用して、データの送出元の機器の出力プラグからバスに送出されたデータが、データの受信先の機器の入力プラグで受信されるように設定される。このようにチャンネルとプラグを設定してコネクションを張る処理が、バスに接続された所定の機器（コントローラ）の制御で実行される。
【００４３】
図１２は、このようにバス１上で設定されたアイソクロナスチャンネルで伝送されるアイソクロナスパケット（Ｉｓｏパケット）の１パケットの構成を示す図である。１つのパケットの先頭部分には、データ長，タグ，チャンネルなどの伝送に必要なヘッダが配置されると共に、その訂正符号であるヘッダ訂正符号（ＣＲＣ）が配置してある。このヘッダ部分は、ＩＥＥＥ１３９４−１９９５規格で決められたフォーマットである。
【００４４】
続くデータ区間は、ここではＩＥＣ６１８８３規格で決められたオーディオミュージックデータ伝送用のフォーマットを適用してある。この規格では、先頭の６４ビットの区間をヘッダ部分としてあり、残りの区間をデータフィールドとしてあり、最後の３２ビット区間をデータ訂正符号（ＣＲＣ）としてある。ここでは、ヘッダ区間のデータの内のＦＭＴデータで、オーディオミュージックデータであることが示される。また、ＦＤＦデータで、ＡＭ８２４規格のデータであることが示される。このＡＭ８２４規格のデータの場合には、データフィールドに配置されるデータが、３２ビットを１単位としたデータとしてあり、任意の数その３２ビットデータが配置される。この場合、３２ビットの１単位のデータの内の先頭の８ビットがラベルデータで、残りの２４ビットがオーディオデータなどの実際の伝送データである。
【００４５】
図１３は、この１単位の３２ビットのデータ構成を示したものである。先頭の８ビットは、ラベルデータとしてあり、その後に続くデータのフォーマットなどを示すデータとしてあり、後半の２４ビットの区間に、オーディオデータなどが配置される。例えば、１サンプル１６ビットのオーディオデータの場合、この２４ビットの区間の内の１６ビットを使用して、１サンプルのオーディオデータが配置される。
【００４６】
図１４は、ラベルデータの例を示したものである。ここでは８ビットで示される２桁の１６進数値との対応で示してあり、ラベルデータが“００”〜“３Ｆ”の範囲の値のとき、ＩＥＣ６０９５８フォーマットのオーディオデータが、ラベルデータに続く区間に配置される。また、ラベルデータが“４０”〜“４Ｆ”の範囲の値のとき、マルチビット方式のリニアオーディオデータが、ラベルデータに続く区間に配置される。また、ラベルデータが“５０”〜“５Ｆ”の範囲の値のとき、１ビット方式のリニアオーディオデータが、ラベルデータに続く区間に配置される。また、ラベルデータが“８０”〜“８Ｆ”の範囲の値のとき、ＭＩＤＩ規格の楽器演奏データが、ラベルデータに続く区間に配置される。さらに、ラベルデータが“Ｃ０”〜“ＥＦ”の範囲の値のとき、オーディオデータに関連した補助データが、ラベルデータに続く区間に配置される。
【００４７】
本例においては、この補助データの内の特定の１つのデータをラベルデータとして使用したとき、マルチチャンネルオーディオデータを伝送する際の、そのオーディオデータの空間上の配置に関するデータを示すようにしてある。
【００４８】
図１５は、オーディオデータの空間上の配置に関するデータを伝送する場合の例を示した図である。この図１５に示した各例は、ラベルデータとして、全て補助データ用ラベルの中の特定の１つのデータが使用され、ラベルデータに続いた２４ビットの内の先頭の８ビットがさらにサブラベルデータとしてあり、このサブラベルデータで、どのような空間上の配置を示すのかのデータとしてある。
【００４９】
図１５のＡは、スピーカポジションに関するデータを配置した場合の例の１つとしてあり、サブラベルデータに、スピーカポジションＡであることを示すデータが配置してある。そして、残りの１６ビットの区間を、１ビットずつに区切って、１６個のデータＳ0,Ｓ1,Ｓ2,Ｓ3,Ｓ4,Ｓ5,Ｓ6,Ｓ7,Ｓ8,Ｓ9,ＳA,ＳB,ＳC,ＳD,ＳE,ＳF が配置してある。この１６個のデータＳ0 〜ＳF は、１６個のスピーカの配置に関するデータとしてある。
【００５０】
具体的には、ここでは最大で１６チャンネルのマルチチャンネルオーディオデータの伝送が可能としてあり、その１６チャンネルの内の１５チャンネルのスピーカを配置したとき、例えば図１６に示す状態で各チャンネルのスピーカが配置されるようにしてある。各チャンネルについて図１６を参照して説明すると、データＳ0 はフロント左チャンネルのスピーカ、データＳ0 はフロント左チャンネルのスピーカ、データＳ1 はフロント右チャンネルのスピーカ、データＳ2 はセンタチャンネルのスピーカ、データＳ3 は低域専用チャンネル（ＬＦＥチャンネル）のスピーカ、データＳ4 はリア左チャンネルのスピーカ、データＳ5 はリア右チャンネルのスピーカ、データＳ6 はセンタ左チャンネルのスピーカ、データＳ7 はセンタ右チャンネルのスピーカ、データＳ8 はサラウンドチャンネルのスピーカ、データＳ9 はサイド左チャンネルのスピーカ、データＳA はサイド右チャンネルのスピーカ、データＳB はトップチャンネル（上部に配置されるチャンネル）のスピーカ、データＳC はボトムチャンネル（底部に配置されるチャンネル）のスピーカ、データＳD はフロント左エフェクトチャンネルのスピーカ、データＳE はフロント右エフェクトチャンネルのスピーカとして定義してある。データＳF のチャンネルについては、ここでは未定義である。
【００５１】
そして、１６ビットの各チャンネルのデータとして、データ“１”であるとき、該当するチャンネルのスピーカが使用されるオーディオデータが伝送されることが示され、データ“０”であるとき、該当するチャンネルのスピーカを使用するオーディオデータが伝送されないことが示される。例えば、未定義のデータＳF を除く１５個のデータＳ0 〜ＳE の全てがデータ“１”であるとき、図１６に示す構成で１５チャンネルのスピーカを配置するためのマルチチャンネルオーディオデータであることが示される。そして、この状態から使用（配置）するスピーカが減るに従って、その存在しない配置のスピーカに対応したデータが“０”に変化する。
【００５２】
図１５のＢは、スピーカポジションに関するデータを配置した場合の別の例としてあり、サブラベルデータに、スピーカポジションＢであることを示すデータが配置してある。この場合には、残りの１６ビットの区間を、２ビットずつに区切って、８個のデータＳＳ0,ＳＳ1,ＳＳ2,ＳＳ3,ＳＳ4,ＳＳ5,ＳＳ6,ＳＳ7 が配置してある。この８個のデータＳＳ0 〜ＳＳ7 は、８個のスピーカの配置に関するデータとしてある。
【００５３】
具体的には、例えば図１６に示した１５チャンネルのスピーカの内の７チャンネルのスピーカＳ0,Ｓ1,Ｓ2,Ｓ3,Ｓ4,Ｓ5,Ｓ6,Ｓ7 の存在などを、８個のデータＳＳ0,ＳＳ1,ＳＳ2,ＳＳ3,ＳＳ4,ＳＳ5,ＳＳ6,ＳＳ7 で示してある。そして、この例では各チャンネル２ビットのデータとしてあり、データ“００”のとき、該当するチャンネルのデータが存在しないことを示し（即ち該当するチャンネルのスピーカを配置しないことを示す）、データ“０１”のとき、該当するチャンネルのデータが元のサンプリング周波数で存在することを示し、データ“１０”のとき、該当するチャンネルのデータが元のサンプリング周波数の半分のサンプリング周波数のデータとして存在することを示す。データ“１１”のときの状態については、ここでは未定義としてある。
【００５４】
図１５のＣは、記録チャンネルに関するデータを配置した場合の例としてあり、サブラベルデータに、チャンネルであることを示すデータが配置してある。そして、残りの１６ビットの区間を、１ビットずつに区切って、１６個のデータＣ0,Ｃ1,Ｃ2,Ｃ3,Ｃ4,Ｃ5,Ｃ6,Ｃ7,Ｃ8,Ｃ9,ＣA,ＣB,ＣC,ＣD,ＣE,ＣF が配置してある。この１６個のデータＣ0 〜ＣF は、１６個の記録チャンネルの存在に関するデータとしてある。各チャンネルのデータとして、データ“１”であるとき、該当する記録チャンネルが存在するオーディオデータであることが示され、データ“０”であるとき、該当する記録チャンネルが存在しないオーディオデータであることが示される。
【００５５】
図１５のＤは、マイクロホンポジションに関するデータを配置した場合の例としてあり、サブラベルデータに、マイクロホンポジションであることを示すデータが配置してある。そして、残りの１６ビットの区間を、１ビットずつに区切って、１６個のデータＩ0,Ｉ1,Ｉ2,Ｉ3,Ｉ4,Ｉ5,Ｉ6,Ｉ7,Ｉ8,Ｉ9,ＩA,ＩB,ＩC,ＩD,ＩE,ＩF が配置してある。この１６個のデータＩ0 〜ＩF は、例えばステージ上に所定の空間配置とされた最大１６個までのマイクロホンが個別に収録した最大１６チャンネルのオーディオデータの各チャンネルの存在の有無が示される。各チャンネルのデータとして、データ“１”であるとき、該当するマイクロホンで収録した記録チャンネルが存在するオーディオデータであることが示され、データ“０”であるとき、該当するマイクロホンで収録した記録チャンネルが存在しないオーディオデータであることが示される。
【００５６】
図１７は、このように構成される補助データを、オーディオデータと共に１つのパケット内に配置した一例を示してある。ここでは、１つのパケットのデータフィールドの先頭部分の３２ビット区間に、補助データを配置して、その補助データでスピーカポジション等のマルチチャンネル構成を示してある。そして、残りのデータフィールドに、３２ビットを１単位としたオーディオデータ（但し３２ビットの内の先頭８ビットはラベルデータ）を、任意の数配置してある。ここでオーディオデータがマルチチャンネルオーディオデータであるとき、予め決められたチャンネル配置で、各チャンネルのオーディオデータを順に配置する。
【００５７】
なお、図１７の例では、１つのパケットに１つの補助データだけを配置した例としたが、複数の補助データを１つのパケットに配置しても良い。例えば、図１５のＡ又はＢに示したスピーカ配置に関する補助データと、図１５のＣに示した記録チャンネルに関する補助データの２つを、１つのパケットに同時に配置しても良い。また、その他の伝送データに関する補助データを、同時に配置しても良い。例えば、伝送されるオーディオデータの著作権保護に関するデータを、補助データとして同時に伝送するようにしても良い。
【００５８】
また、ここまでの説明では、オーディオデータを伝送する場合の補助データの例について説明したが、他のデータを伝送する場合に、補助データを使用することもできる。例えば、オーディオデータに付随するデータとして、静止画像データ又は動画像データなどの画像データを、ディスク再生装置などで記録媒体から再生する場合があり、その画像データをオーディオデータと共にバス９で伝送する際に、補助データでその画像データを表示する際の空間上の配置を示すようにしても良い。
【００５９】
図１８は、画像データの空間上の配置に関するデータを、補助データで伝送する場合の例を示した図である。この図１８に示した各例は、ラベルデータとして、全て補助データ用ラベルの中の特定の１つのデータが使用され、ラベルデータに続いた２４ビットの内の先頭の８ビットがさらにサブラベルデータとしてあり、このサブラベルデータで、どのような空間上の配置される表示を行うのかを示すのかのデータとしてある。
【００６０】
図１８のＡは、ディスプレイポジションに関するデータを配置した場合の例の１つとしてあり、サブラベルデータに、ディスプレイポジションＡであることを示すデータが配置してある。そして、残りの１６ビットの区間を、１ビットずつに区切って、１６個のデータＤ0,Ｄ1,Ｄ2,Ｄ3,Ｄ4,Ｄ5,Ｄ6,Ｄ7,Ｄ8,Ｄ9,ＤA,ＤB,ＤC,ＤD,ＤE,ＤF が配置してある。この１６個のデータＤ0 〜ＤF は、画像データの表示などに関する１６種類のデータとしてある。
【００６１】
図１８のＢは、ディスプレイポジションに関するデータを配置した場合の別の例としてあり、サブラベルデータに、ディスプレイポジションＢであることを示すデータが配置してある。そして、残りの１６ビットの区間を、２ビットずつに区切って、８個のデータＤＤ0,ＤＤ1,ＤＤ2,ＤＤ3,ＤＤ4,ＤＤ5,ＤＤ6,ＤＤ7 が配置してある。この８個のデータＤＤ0 〜ＤＤ7 は、画像データの表示などに関する８種類のデータとしてあり、それぞれの項目について４値“００”，“０１”，“１０”，“１１”で詳細を示すようにしてある。
【００６２】
この４値で示されるディスプレイポジションとしては、例えば図１９に示すように、表示画面２０の中に、補助データと共に伝送される画像データによる子画面を表示させるとき、左下の子画面表示２１と、右下の子画面表示２２と、左上の子画面表示２３と、右上の子画面表示２４の４つの表示形態の中から、何れか１つのポジションを指示するデータとする。
【００６３】
或いは、例えば図２０に示すように、表示画面３０の中に、補助データと共に伝送される画像データによる横長の子画面を表示させるとき、４つに分割した横長の表示位置３１，３２，３３，３４の中から、何れか１つのポジションを、補助データで指示するデータとする。
【００６４】
図１８のＣは、ディスプレイポジションに関するデータを配置した場合のさらに別の例としてあり、サブラベルデータに、ディスプレイポジションＣであることを示すデータが配置してある。そして、残りの１６ビットの区間を、４ビットずつに区切って、４個のデータＤＤＤ0,ＤＤＤ1,ＤＤＤ2,ＤＤＤ3 が配置してある。この４個のデータＤＤＤ0 〜ＤＤＤ3 は、画像データの表示などに関する４種類のデータとしてあり、それぞれの項目について３ビットの８値で詳細を示すようにしてある。
【００６５】
この例のように、８値で表示ポジションなどを指示することで、より詳細に表示形態の指示が行える。具体的には、例えば図１９に示すように、子画面２１を表示させる際に、その表示枠２５の表示色を指示したり、子画面２１の形状（図では四角に表示させてあるが、丸形，楕円形などの指示）などを指示するようにしても良い。
【００６６】
また、図１８のＡ，Ｂ，Ｃに示した各データＤ0 〜ＤF ，ＤＤ0 〜ＤＤ7 ，ＤＤＤ0 〜ＤＤＤ3 で、１つの画面（子画面）についての、複数の項目の詳細を示すようにしても良い。例えば、図１８のＣに示すデータＤＤＤ0 で、子画面の表示ポジションを示し、データＤＤＤ1 でその子画面の表示形状を示し、データＤＤＤ2 で子画面の枠の表示色を示し、データＤＤＤ3 で子画面全体の表示色調を示すようにしても良い。
【００６７】
なお、ここまで説明した画像データの表示形態に関する補助データを伝送する際には、例えば図１７に示したオーディオデータを伝送するパケット構成と同様に、データフィールド内の先頭部分に、補助データを配置し、続いて画像データを配置するようにすることが考えられる。また、図１５〜図１７で説明したオーディオデータとその補助データと同時に、上述した画像データとその補助データを伝送する場合には、各パケット内のデータフィールド内の先頭部分に、オーディオデータの補助データを配置し、続いて画像データの補助データを配置し、続いてオーディオデータと画像データを配置する等、各種データ配置が考えられる。
【００６８】
このように補助データを使用して、オーディオデータのスピーカ配置などの空間上の配置などに関するデータなどのように、伝送データの空間上の配置に関する識別データ（サブラベルのデータ）を配置し、その識別データに続いて、伝送データの設定に関するデータを配置して、伝送するようにしたことで、マルチチャンネルオーディオデータなどのデータを伝送する際に、そのチャンネル構成や表示形態などの詳細が受信側で補助データを参照するだけで簡単に判るようになる。
【００６９】
なお、上述した実施の形態で、図１，図２に示したＩＥＥＥ１３９４方式のバスラインに接続される機器は一例を示したものであり、その他のオーディオ機器やビデオ機器を接続して、その接続された機器間でオーディオデータや画像データを伝送する場合にも適用できるものである。
【００７０】
また上述した実施の形態では、オーディオデータを伝送する場合や、そのオーディオデータに付随する画像データを伝送する場合について説明したが、画像データだけを伝送する場合や、その他のストリームデータを伝送する場合にも適用できる。
【００７１】
また、バスラインの形式についても、ＩＥＥＥ１３９４形式のバスライン以外の方式のデータ伝送路を適用しても良いことは勿論である。
【００７２】
【発明の効果】
請求項１に記載した伝送方法によると、補助データの第１の区間に配置された識別データで、伝送データの空間上の配置が判ると共に、第２の区間に配置されたデータで、伝送データの設定に関する詳細が判るようになり、伝送データの空間上の配置とその設定に関する詳細がこの補助データを検出するだけで判るようになる。
【００７３】
請求項２に記載した伝送方法によると、請求項１に記載した発明において、伝送データは、オーディオデータであり、第１の区間の識別データは、各チャンネルのスピーカ配置に関するデータであることで、種々のスピーカのマルチチャンネルオーディオデータを伝送する際に、そのオーディオデータの設定が受信側で簡単に判るようになる。
【００７４】
請求項３に記載した伝送方法によると、請求項１に記載した発明において、伝送データは、オーディオデータであり、第２の区間の設定に関するデータは、用意された各チャンネルのサンプリング周波数に関するデータであることで、複数のサンプリング周波数のデータが混在したマルチチャンネルオーディオデータを伝送する場合に、その伝送データのサンプリング周波数が簡単に判るようになる。
【００７５】
請求項４に記載した伝送方法によると、請求項１に記載した発明において、伝送データは、オーディオデータであり、第１の区間の識別データは、記録チャンネルの空間上の配置に関する識別データであり、第２の区間の設定に関するデータは、記録チャンネルの存在の有無をチャンネル毎に示すデータであることで、マルチチャンネルオーディオデータを伝送する場合に、どの記録チャンネルが存在するかが、補助データを参照することで簡単に判るようになる。
【００７６】
請求項５に記載した伝送方法によると、請求項１に記載した発明において、伝送データは、画像データであり、第１の区間の識別データは、その画像データを表示する配置位置に関するデータであり、第２の区間の設定に関するデータは、画像データの表示形態を示すデータであることで、伝送される画像データの表示形態が簡単に判るようになる。
【００７７】
請求項６に記載した伝送装置によると、補助データの第１の区間のデータで伝送データの空間上の配置が判り、第２の区間のデータで伝送データの設定が判るようになり、この伝送装置から送出されるデータを受信した際には、補助データを参照することで、伝送データの空間上の配置とその設定に関する詳細が簡単に判るようになる。
【００７８】
請求項７に記載した伝送装置によると、請求項６に記載した発明において、データ入力手段が得た伝送データは、マルチチャンネルのオーディオデータであり、伝送データ生成手段で生成させる補助データの第１の区間の識別データは、各チャンネルのスピーカ配置に関するデータであることで、種々のスピーカのマルチチャンネルオーディオデータを伝送装置から送出する場合に、そのオーディオデータの設定が受信側で簡単に判るようになる。
【００７９】
請求項８に記載した伝送装置によると、請求項６に記載した発明において、データ入力手段が得た伝送データは、マルチチャンネルのオーディオデータであり、伝送データ生成手段で生成させる補助データの第２の区間の設定に関するデータは、用意された各チャンネルのサンプリング周波数に関するデータであることで、複数のサンプリング周波数のデータが混在したマルチチャンネルオーディオデータを伝送装置から送出する場合に、その伝送データのサンプリング周波数が受信側で簡単に判るようになる。
【００８０】
請求項９に記載した伝送装置によると、請求項６に記載した発明において、データ入力手段が得た伝送データは、マルチチャンネルのオーディオデータであり、伝送データ生成手段で生成させる補助データの第１の区間の識別データは、記録チャンネルの空間上の配置に関する識別データであり、第２の区間の設定に関するデータは、記録チャンネルの存在の有無をチャンネル毎に示すデータであることで、マルチチャンネルオーディオデータを伝送装置から送出させる場合に、受信側でどの記録チャンネルが存在するかが、補助データを参照することで簡単に判るようになる。
【００８１】
請求項１０に記載した伝送装置によると、請求項６に記載した発明において、データ入力手段が得た伝送データは、画像データであり、伝送データ生成手段で生成させる補助データの第１の区間の識別データは、画像データを表示する配置位置に関するデータであり、第２の区間の設定に関するデータは、画像データの表示形態を示すデータであることで、伝送装置から送出される画像データの表示形態が受信側で簡単に判るようになる。
【図面の簡単な説明】
【図１】本発明の一実施の形態によるシステム全体の構成例（その１）を示すブロック図である。
【図２】本発明の一実施の形態によるシステム全体の構成例（その２）を示すブロック図である。
【図３】本発明の一実施の形態によるマイクロホン装置の構成例を示すブロック図である。
【図４】本発明の一実施の形態による電子楽器の構成例を示すブロック図である。
【図５】本発明の一実施の形態による調整卓の構成例を示すブロック図である。
【図６】本発明の一実施の形態によるアンプ装置の構成例を示すブロック図である。
【図７】本発明の一実施の形態によるディスク再生装置の構成例を示すブロック図である。
【図８】本発明の一実施の形態によるディスク記録再生装置の構成例を示すブロック図である。
【図９】本発明の一実施の形態による表示装置の構成例を示すブロック図である。
【図１０】ＩＥＥＥ１３９４方式での伝送状態の例を示す説明図である。
【図１１】ＩＥＥＥ１３９４方式のバス上での伝送路の設定例を示す示す説明図である。
【図１２】本発明の一実施の形態による伝送データのパケット構成例を示す説明図である。
【図１３】本発明の一実施の形態による伝送データの構成例を示す説明図である。
【図１４】本発明の一実施の形態によるラベルデータの例を示す説明図である。
【図１５】本発明の一実施の形態による補助データのデータ例（オーディオデータの場合の例）を示す説明図である。
【図１６】本発明の一実施の形態によるスピーカ配置例を示す説明図である。
【図１７】本発明の一実施の形態によるデータ配置例を示す説明図である。
【図１８】本発明の一実施の形態による補助データのデータ例（画像データの場合の例）を示す説明図である。
【図１９】本発明の一実施の形態による表示例（その１）を示す説明図である。
【図２０】本発明の一実施の形態による表示例（その２）を示す説明図である。
【符号の説明】
１…マイクロホン装置、２…電子楽器、３…調整卓、４…アンプ装置、５…ディスク再生装置、６…ディスク記録再生装置、７…表示装置、８Ｌ，８Ｒ，８ＳＬ，８ＳＲ，８Ｌ′，８Ｒ′，８ＳＬ′，８ＳＲ′…スピーカ装置、９…ＩＥＥＥ１３９４方式のバスライン、２０，３０…表示画面、２１，２２，２３，２４…子画面表示範囲、２５…表示枠、２６…背景部分、３１，３２，３３，３４…分割画面、Ｓ0 …フロント左チャンネルスピーカ、Ｓ1 …フロント右チャンネルスピーカ、Ｓ2 …センターチャンネルスピーカ、Ｓ3 …低域専用チャンネルスピーカ、Ｓ4 …リア左チャンネルスピーカ、Ｓ5 …リア右チャンネルスピーカ、Ｓ6 …センター左チャンネルスピーカ、Ｓ7 …センター右チャンネルスピーカ、Ｓ8 …サラウンドスピーカ、Ｓ9 …サイド左チャンネルスピーカ、ＳA …サイド右チャンネルスピーカ、ＳB …トップスピーカ、ＳC …ボトムスピーカ、ＳD …左フロントエフェクトスピーカ、ＳE …右フロントエフェクトスピーカ
【図１】
0004337198.tif 000002
【図２】
0004337198.tif 000003
【図３】
0004337198.tif 000004
【図４】
0004337198.tif 000005
【図５】
0004337198.tif 000006
【図６】
0004337198.tif 000007
【図７】
0004337198.tif 000008
【図８】
0004337198.tif 000009
【図９】
0004337198.tif 000010
【図１０】
0004337198.tif 000011
【図１１】
0004337198.tif 000012
【図１２】
0004337198.tif 000013
【図１３】
0004337198.tif 000014
【図１４】
0004337198.tif 000015
【図１５】
0004337198.tif 000016
【図１６】
0004337198.tif 000017
【図１７】
0004337198.tif 000018
【図１８】
0004337198.tif 000019
【図１９】
0004337198.tif 000020
【図２０】
0004337198.tif 000021